(57)【要約】【課題】構成の複雑化および製造性の低下を抑制しつつハンドルの引っ張り荷重に対する耐久性を確保した電気掃除機を提供する。【解決手段】ハンドル43に形成した孔部71に、掃除機本体の持ち上げ方向に対して交差する方向から、本体蓋41を本体ケース25に回動可能に軸支するための軸部48を挿入する。ハンドルをねじ止めする場合と比較して、構成の複雑化および製造性の低下を抑制しつつハンドル43の引っ張り荷重に対する耐久性を確保できる。【選択図】図１
2010172625.tif 000002
【特許請求の範囲】
【請求項１】
集塵室を区画する本体ケース、この本体ケースに収容され前記集塵室に吸込側が連通する電動送風機、および、前記本体ケースに対して軸部を介して回動可能に軸支され、この回動により前記集塵室を開閉する蓋体を備えた掃除機本体と、
この掃除機本体の持ち上げ方向に対して交差する方向から前記軸部が挿入された孔部を備え、前記掃除機本体を持ち上げるためのハンドルと
を具備したことを特徴とした電気掃除機。
【請求項２】
ハンドルには、本体ケースの一部に持ち上げ方向の下側から係合する係合部が突設され、
蓋体の軸部は、前記係合部の背面側に位置し、この係合部の突出方向と反対方向への移動を規制する
ことを特徴とした請求項１記載の電気掃除機。
【請求項３】
軸部は、軸方向に対して交差する方向へと突出した突出部を有し、
本体ケースは、
前記軸部が挿入された挿入孔と、
この挿入孔に形成され、前記突出部が嵌合可能なキー溝とを備えている
ことを特徴とした請求項２記載の電気掃除機。
【発明の詳細な説明】
【技術分野】
【０００１】
本発明は、掃除機本体を持ち上げるためのハンドルを備えた電気掃除機に関する。
【背景技術】
【０００２】
従来、この種の電気掃除機は、電動送風機を収容する電動送風機室と、この電動送風機室と連通する集塵室とを内部に区画した本体ケースを有する掃除機本体を備えている。本体ケースの前部には、掃除機本体を持ち上げるためのハンドルが取り付けられている。このハンドルは、Ｕ字状に形成されており、基端側が掃除機本体の持ち上げ方向に対して交差する方向に、複数のねじにより固定されている(例えば、特許文献１参照。)。
【先行技術文献】
【特許文献】
【０００３】
【特許文献１】特開平５−４２０６５号公報(第２頁、図１および図３)
【発明の概要】
【発明が解決しようとする課題】
【０００４】
しかしながら、上述のようなハンドルを本体ケースの上部に取り付ける場合、掃除機本体の持ち上げ方向に対して交差する左右方向からハンドルをねじ止めしようとすると、ねじが露出してしまい、見栄えが良好でない。そのため、ねじを隠すように別ピースの部材を取り付ける必要があるなど、構成が複雑化し、部品点数が増加してしまうという問題点を有している。
【０００５】
この点、掃除機本体の持ち上げ方向に沿ってハンドルを本体ケースにねじ止めする構成が考えられるものの、このような構成の場合、掃除機本体の荷重を、この掃除機本体の持ち上げ方向に沿ってねじ止めされたねじのみで受ける構造となり、引っ張り荷重に対する耐久性が充分でないという問題がある。
【０００６】
また、上述のような構成では、ハンドルの取り付けの際にねじ止めの作業を要し、製造性が良好でないという問題もある。
【０００７】
本発明は、このような点に鑑みなされたもので、構成の複雑化および製造性の低下を抑制しつつハンドルの引っ張り荷重に対する耐久性を確保した電気掃除機を提供することを目的とする。
【課題を解決するための手段】
【０００８】
本発明は、本体ケースに対して軸部を介して回動可能に軸支され、この回動により集塵室を開閉する蓋体を備えた掃除機本体と、この掃除機本体の持ち上げ方向に対して交差する方向から軸部が挿入された孔部を備え、掃除機本体を持ち上げるためのハンドルとを具備したものである。
【発明の効果】
【０００９】
本発明によれば、ハンドルに形成した孔部に、掃除機本体の持ち上げ方向に対して交差する方向から、蓋体を本体ケースに回動可能に軸支するための軸部を挿入することにより、ハンドルをねじ止めする場合と比較して、構成の複雑化および製造性の低下を抑制しつつハンドルの引っ張り荷重に対する耐久性を確保できる。
【図面の簡単な説明】
【００１０】
【図１】本発明の第１の実施の形態の電気掃除機の要部を示す縦断面図である。
【図２】同上電気掃除機の掃除機本体の蓋体を完全に開いた状態を示す斜視図である。
【図３】同上掃除機本体の蓋体を閉じた状態を示す斜視図である。
【図４】同上掃除機本体の本体ケースを示す斜視図である。
【図５】同上電気掃除機を示す斜視図である。
【図６】本発明の第２の実施の形態の電気掃除機の要部を示す縦断面図である。
【図７】本発明の第３の実施の形態の電気掃除機の要部を示す縦断面図である。
【図８】同上電気掃除機の本体ケースの要部を示す側面図である。
【発明を実施するための形態】
【００１１】
以下、本発明の第１の実施の形態の構成を図１ないし図５を参照して説明する。
【００１２】
図５において、11はいわゆるキャニスタ型の電気掃除機を示し、この電気掃除機11は、管部12と、この管部12が着脱可能に接続される掃除機本体13とを有している。
【００１３】
管部12は、掃除機本体13に接続される接続管部15と、この接続管部15の先端側に連通する可撓性を有するホース体16と、このホース体16の先端側に設けられた手元操作部17と、この手元操作部17の先端側に着脱可能に接続される延長管18と、この延長管18の先端側に着脱可能に接続される吸込口体としての床ブラシ19とを備えている。
【００１４】
手元操作部17には、把持部21がホース体16側へと突出し、この把持部21には、操作用の設定ボタン22が複数設けられている。
【００１５】
また、掃除機本体13は、図２ないし図４に示すように、本体ケース25を備え、この本体ケース25の内部には、隔壁26が設けられ、この隔壁26の後側に、電動送風機27を収容する図示しない電動送風機室、および、図示しない電源コードを出し入れ可能に巻回した図示しないコードリールを収容するコードリール室がそれぞれ区画されているとともに、隔壁26の前側に、この隔壁26に設けられた連通口28を介して電動送風機27の吸込側に連通する集塵室である本体集塵室29が区画され、この本体集塵室29に、紙パックなどの図示しない集塵袋が着脱可能に配置されている。
【００１６】
本体ケース25は、例えば合成樹脂などにより形成され、上側が開口した下ケース31と、この下ケース31の上側後部である電動送風機室およびコードリール室を覆う上ケース32とを備えている。
【００１７】
下ケース31の両側方には、掃除機本体13の走行用の大径の走行輪35(一方のみ図示)が回転自在に軸支されている。また、下ケース31の前部には、ホース体16(接続管部15)の基端側が着脱可能に接続される本体吸込口36が本体集塵室29に連通して設けられている。
【００１８】
上ケース32には、蓋体としての本体蓋41が回動可能に軸支されて本体集塵室29を開閉可能としている。また、この上ケース32の上部の左右幅方向の略中央部には、平面視で円形状の被取付部としての空間形成部である取付凹部42が形成され、この取付凹部42には、作業者が把持して掃除機本体13を持ち上げるためのハンドル43が取り付けられている。さらに、この上ケース32には、取付凹部42の両側に、本体蓋41が嵌合する嵌合部である嵌合凹部44，44が形成されており、一方の嵌合凹部44には、電源コードの巻取用の巻き取りボタン45が配置されている。
【００１９】
本体蓋41は、図１ないし図３に示すように、掃除機本体13の外郭をなす蓋体本体である蓋上板部46と、この蓋上板部46の下部に一体に形成されたリブ部47と、この蓋上板部46に形成された蓋軸である軸部48，48とを有している。
【００２０】
蓋上板部46は、前端側が下ケース31の前端側の外形に沿って円弧状に形成され、後端側が左右幅方向に沿って略直線状に形成されているとともに、この後端の左右幅方向の中心位置に、取付凹部42の外周に沿って切欠部51が半円弧状に切り欠き形成されている。したがって、蓋上板部46の後側の両側には、切欠部51の両側に位置して蓋突出部としての蓋片部52，52が形成されている。さらに、この蓋上板部46は、上方に向けて曲面状に膨らむように全体が湾曲して形成されている。
【００２１】
各蓋片部52の切欠部51側、すなわち内縁側の下部には、本体蓋41と本体ケース25側とを接続するための腕部すなわちアーム部54が一体に形成されており、このアーム部54の内側に、軸部48がそれぞれ一体に形成されている。
【００２２】
リブ部47は、蓋上板部46の切欠部51の前方の位置に形成されており、本体蓋41を閉じた際に本体集塵室29の上端の内縁部に取り付けられたシール部材56に圧接される圧接部である圧接リブ57と、補強用の補強部である複数の補強リブ58とを備えている。
【００２３】
圧接リブ57は、先端部が蓋上板部46の下端よりも下方に向けて突出しており、本体集塵室29の内形に沿って環状に形成されている。
【００２４】
補強リブ58は、蓋上板部46の下部および圧接リブ57に亘って略Ｌ字状に形成されている。
【００２５】
各軸部48は、略円柱状に形成され、各アーム部54から水平方向に沿って突出している。すなわち、これら軸部48，48は、アーム部54，54から互いに対向する方向へと突出している。また、各軸部48は、その太さが本体蓋41の他の各部の厚みよりも大きく設定されている。さらに、各軸部48は、取付凹部42の外部を区画する上ケース32の壁部61に開口形成された円形状の回動軸孔である挿入孔62にそれぞれ挿入されて本体蓋41を本体ケース25(上ケース32)に回動可能に軸支している。
【００２６】
取付凹部42は、略球面状に窪んで形成され、ハンドル43との間に、作業者が手を挿入するための空間Ｓを区画している。また、この取付凹部42は、重量物である電動送風機27およびコードリールの上方、すなわち掃除機本体13の重心上に位置しており、前端部が本体集塵室29の後部である隔壁26の上方に位置している。
【００２７】
ハンドル43は、上側へとアーチ状に湾曲して形成されたハンドル本体65と、このハンドル本体65に一体に形成されて下方に突出するハンドル接続部66，66とを備えている。
【００２８】
ハンドル本体65は、左右幅方向に沿って取付凹部42の上方に位置しており、中央部65a側が空間Ｓを介して取付凹部42から離間されている。また、このハンドル本体65の中心位置は、平面視で取付凹部42の中心位置と重なる位置となっている。したがって、このハンドル本体65は、掃除機本体13の重心上に位置している。さらに、このハンドル本体65は、中央部65aから左右両端部へと、徐々に太さが太くなるように形成されている。
【００２９】
ハンドル接続部66，66は、ハンドル本体65の両側部65b，65b近傍に上下方向に沿って長手状に形成されており、外側に位置する外側部である外板部66aと、内側に位置する内側部である内板部66bとを一体に有している。そして、これらハンドル接続部66，66は、先端側である下端側が取付凹部42の左右両側に開口形成された被挿入部である挿入凹部68，68にそれぞれ挿入されている。
【００３０】
各外板部66aは、取付凹部42の外周を区画する壁部61の内方に位置する挿入凹部68の外側面68aに略接触して位置しており、壁部61に形成された挿入孔62に対応する位置に、この挿入孔62に連通する円形状の孔部71がそれぞれ開口形成されている。そして、各孔部71には、挿入孔62に挿入された本体蓋41の各軸部48の先端側がそれぞれ挿入されている。すなわち、各孔部71には、ハンドル43による掃除機本体の持ち上げ方向Ｃ(ここでは上下方向)に対して交差(直交)する方向から各軸部48がそれぞれ挿入されている。これら挿入された各軸部48の先端部は、外板部66aのうち側面に対して内板部66b側に位置し、この内板部66bから離間されている。
【００３１】
各内板部66bは、取付凹部42の挿入凹部68の内縁部68bに上側から係合される上側係合部(第１係合部)としての係合凹部73が内側面に上下方向に沿って長手状に切り欠き形成されている。また、各内板部66bの下端側は、各挿入凹部68の底部に開口形成された係合孔部74にそれぞれ挿入され、各内板部66bの係合孔部74に挿入された下端部には、本体ケース25の上ケース32の挿入凹部68の下部に対して掃除機本体13の持ち上げ方向Ｃの下側から係合する係合部としての下側係合部(第２係合部)である爪状の係合突部75がそれぞれ内方に向けて略水平状に突出している。したがって、各内板部66bは、各係合凹部73と各係合突部75とにより、本体ケース25(上ケース32)の一部を上下方向からそれぞれ挟持するように構成されている。
【００３２】
また、隔壁26の本体集塵室29側(前面部)には、連通口28を覆ってウレタンフィルタなどのフィルタ部材79が取り付けられている。
【００３３】
電動送風機27は、電源コードを介して電源から給電され、掃除機本体13内の制御手段である図示しない制御回路により、設定ボタン22（図５）で設定された所定の動作モードで動作されて管部12（図５）を介して空気とともに塵埃を吸い込むもので、前側を吸込側、後側を排気側として電動送風機室内に配置されている。
【００３４】
次に、上記第１の実施の形態の作用を説明する。
【００３５】
掃除機本体13を組み立てる際には、まず、本体ケース25の内部に電動送風機27およびコードリールなどを収容した後、ハンドル43を取付凹部42に対して上方から取り付ける。
【００３６】
ハンドル43のハンドル接続部66，66を、取付凹部42の挿入凹部68，68に上方から挿入すると、各ハンドル接続部66の内板部66bの先端側が外板部66a側、すなわち外方へと若干弾性変形しながら、これら内板部66bの係合突部75が各挿入凹部68の係合孔部74に挿入された後、内板部66bの先端側が外板部66aから離間される方向、すなわち内方へと復帰変形することにより、係合突部75が本体ケース25(上ケース32)に対して、係合孔部74の内縁部に下側から係合される。同時に、ハンドル43の係合凹部73が挿入凹部68の内縁部68bに対して上側から係合し、各内板部66bにより本体ケース25(上ケース32)を上下方向から挟持する。
【００３７】
この状態で、本体蓋41を本体ケース25に取り付ける。すなわち、本体蓋41の各蓋片部52を、軸部48，48が互いに離間されるように外方へと若干弾性変形させつつ、軸部48，48を、取付凹部42の壁部61の挿入孔62，62から挿入して各蓋片部52を復帰変形させると、軸部48，48がハンドル43の孔部71，71に挿入され、本体蓋41が本体ケース25に回動可能に軸支されるとともに、本体蓋41がハンドル43を本体ケース25(上ケース32)に固定する。
【００３８】
そして、掃除を終了した状態、あるいは掃除の前の状態などで、掃除機本体13を持ち運ぶ際には、作業者がハンドル43を把持して掃除機本体13を持ち上げる。
【００３９】
このとき、掃除機本体13の荷重が、本体蓋41の軸部48，48、および、ハンドル43の係合突部75，75により支持される。
【００４０】
上述したように、上記第１の実施の形態では、ハンドル43に形成した孔部71に、掃除機本体13の持ち上げ方向Ｃに対して交差(直交)する方向から、本体蓋41を本体ケース25に回動可能に軸支するための軸部48を挿入する構成とした。
【００４１】
このため、ハンドル43の固定にねじなどを用いることなく対応できるので、ハンドルをねじ止めする場合と比較して、意匠的にねじを隠すための別ピースなどが必要なく、構成の複雑化および製造性の低下を抑制できるとともに、掃除機本体13の持ち上げ方向Ｃに対して軸部48，48が交差状に位置しているので、持ち上げ方向Ｃに沿ってねじ止めする場合などと比較して、ハンドル43の引っ張り荷重に対する耐久性を確保できる。
【００４２】
すなわち、ハンドル43の取り付け構造として、本体蓋41の軸支構造を活用して構成を簡略化し、かつ、この本体蓋41の本来の回動動作には影響を与えることがない。
【００４３】
また、仮にねじを用いてハンドル43を本体ケース25(上ケース32)に固定する場合でも、このねじによる固定を、補助的なものとすることが可能となるので、ハンドル43による掃除機本体13の持ち上げ方向Ｃに沿ってねじ止めすることも可能となり、このようにねじ止めした場合、ねじの位置が外側から見えにくくなるので、ねじを隠すための別ピースなどを取り付ける必要もない。
【００４４】
次に、第２の実施の形態を図６を参照して説明する。なお、上記第１の実施の形態と同様の構成および作用については、同一符号を付してその説明を省略する。
【００４５】
この第２の実施の形態は、上記第１の実施の形態において、軸部48が、内板部66b(係合突部75)の背面側、すなわち外側に近接、本実施の形態では当接することで、この内板部66bの外方への弾性変形によって係合突部75が係合孔部74から抜ける、すなわち係合突部75の本体ケース25(上ケース32)への係合が解除されることを防止したものである。
【００４６】
すなわち、各軸部48は、長手状に形成されており、内板部66bの外側面に密着し、この内板部66b(係合突部75)の外方への移動(弾性変形)を規制している。
【００４７】
そして、このように構成することにより、ハンドル43を介して掃除機本体13を持ち上げる際に、係合突部75の係合が内板部66bの弾性変形によって解除されることを、より確実に防止でき、ハンドル43の引っ張り荷重に対する耐久性を確保できる。
【００４８】
次に、第３の実施の形態を図７および図８を参照して説明する。なお、上記各実施の形態と同様の構成および作用については、同一符号を付してその説明を省略する。
【００４９】
この第３の実施の形態は、上記第２の実施の形態において、各軸部48の外周面に、径方向、すなわち各軸部48の軸方向に対して交差(直交)する方向へと突出した蓋軸突部である突出部81が形成されているとともに、各挿入孔62に、突出部81が嵌合可能なキー溝82が形成されているものである。
【００５０】
各突出部81は、各軸部48の先端側に形成されている。また、各突出部81は、例えば本体蓋41を閉じた状態(例えば図３に示す状態)で各軸部48の上部となる位置に形成されている。さらに、各突出部81は、各孔部71にも挿入されており、外板部66aと内板部66bとの間に位置している。
【００５１】
また、各キー溝82は、挿入孔62に対して後方上側に傾斜した方向に沿って切り欠き形成されている。このため、各突出部81は、本体蓋41を閉じた状態と、本体蓋41を完全に開いた状態(図２に示す状態)とを除く位置、本実施の形態では、これら状態の中間の位置で各キー溝82と位置合わせされるように構成されている。なお、図８には一方の挿入孔62のみを示している。
【００５２】
そして、このように構成することにより、各突出部81が各キー溝82と位置合わせされない限り、各軸部48が各挿入孔62から抜けることがないので、各軸部48を係合突部75の背面に近接させておくことができ、係合突部75の係合が内板部66bの弾性変形によって解除されることを、より確実に防止でき、ハンドル43の引っ張り荷重に対する耐久性を確保できる。
【００５３】
また、各突出部81と各キー溝82とを、本体蓋41を閉じた状態と、本体蓋41を完全に開いた状態とを除く位置で位置合わせされるように形成する。一般に、ハンドル43により掃除機本体13を持ち上げる際には、本体蓋41を閉じた状態とするため、各突出部81と各キー溝82とが位置合わせされず、各軸部48が各挿入孔62から抜けることを確実に防止できる。
【００５４】
なお、上記第３の実施の形態において、各孔部71にもそれぞれキー溝82と同様のキー溝を形成してもよい。
【００５５】
また、上記第２の実施の形態および第３の実施の形態において、軸部48，48の先端部は、係合突部75が係合孔部74に対して抜けないように内板部66b(係合突部75)の変形を規制できるように近接させておけば、内板部66b、すなわち係合突部75の背面側に当接させなくてもよい。
【００５６】
さらに、上記各実施の形態において、本体集塵室29には、集塵袋に代えて、例えばサイクロン式の集塵カップなどの集塵装置を取り付けてもよい。
【００５７】
そして、ハンドル43は、本体ケース25の上部に取り付けるものに限定されない。この場合には、ハンドル43による掃除機本体13の持ち上げ方向を基準として上記構成を適宜変更することで容易に対応できる。
【００５８】
また、電気掃除機11は、例えばコードリールに代えて、二次電池を電源として有する構成としてもよい。
【符号の説明】
【００５９】
11    電気掃除機
13    掃除機本体
25    本体ケース
27    電動送風機
29    集塵室である本体集塵室
41    蓋体としての本体蓋
43    ハンドル
48    軸部
62    挿入孔
71    孔部
75    係合部としての係合突部
81    突出部
82    キー溝
【図１】
2010172625.tif 000003
【図２】
2010172625.tif 000004
【図３】
2010172625.tif 000005
【図４】
2010172625.tif 000006
【図５】
2010172625.tif 000007
【図６】
2010172625.tif 000008
【図７】
2010172625.tif 000009
【図８】
2010172625.tif 000010